(57)【要約】【課題】壁面内側に配線された光ケーブルから光が漏れることのない光ケーブル用コネクタ。【解決手段】コネクタ１のハウジング２５がプラグ挿入口１０を有し、挿入口１０には、挿入口１０に進入するプラグ７によってコネクタ１の後方へ押圧される接触部１３がのぞき、接触部１３の後方には、挿入口１０を開閉する第１、第２シャッター板１１，１２が設けられる。コネクタ１では、接触部１３が押圧されると回転する第１部材と、第１部材の回転によって上昇する第１部材を介して、第１、第２シャッター部材１１，１２が時計方向Ｗａと反時計方向Ｗｂとに旋回して挿入口１０が開く。【選択図】図２
2005338373.tif 000002
【特許請求の範囲】
【請求項１】
互いに直交する上下方向と前後方向と幅方向とを有し前記上下方向を壁面の上下方向に合わせ、前記前後方向を前記壁面の内外面方向に合わせて前記壁面に取り付け可能なハウジングを含み、前記壁面の内側に配線された光ケーブルの末端部と前記壁面の外側にある光ケーブルのプラグとを離脱可能に接続する光ケーブル用コネクタであって、
前記ハウジングは、前記前後方向の前方に前記壁面の外側に向かって開口するプラグ挿入口が形成される一方、前記前後方向の後方が前記末端部を固定可能に形成され、前記前方と前記後方との間には、前記幅方向へ延びる第１軸を中心にしていて前記挿入口へ進入する前記プラグに押圧されて前記前方から前記後方へ向かってばね付勢に抗して回転運動する第１部材と、前記第１部材の前記回転運動に追随して前記上下方向において上昇運動する第２部材と、前記前後方向へ延びている第２軸を中心にして前記上昇運動に伴って前記上下方向と前記幅方向とを含む平面内において時計方向へ旋回運動する第１シャッター板と、前記第２軸を中心にして前記平面内において反時計方向へ旋回運動する第２シャッター板とが介在しており、前記第１シャッター板と前記第２シャッター板とが協働して前記挿入口を閉じることができるように形成されており、前記第１部材と前記第２部材と前記第１シャッター板と第２シャッター板とが、前記ばね付勢下に前記ばね付勢に抗しての前記回転運動と、それに伴う前記上昇運動と前記旋回運動とは反対の方向へも運動可能に形成されており、かつ、前記第１シャッター板と前記第２シャッター板との前記ばね付勢下の旋回運動が前記挿入口を閉じる方向への運動であり、前記ばね付勢に抗する旋回運動が前記挿入口を開く方向の運動であることを特徴とする前記コネクタ。
【請求項２】
前記第１部材は、前記ばね付勢下に前記挿入口にのぞいていて前記挿入口へ進入する前記プラグによって押圧される接触部と、前記第１軸よりも後方にあって前記第１軸に平行して前記幅方向の両側それぞれへ延びる一対の棒状の第１案内部とを有し、
前記第２部材が前記幅方向の両側それぞれにおいて前記前後方向へ延び前記第１案内部が前記幅方向から進入して前記第２部材を前記第１案内部の動きに追随させることが可能な前記第１案内部に対する一対の溝状の第２案内部と、一対の前記第２案内部の間にあり、かつ、前記上下方向と前記幅方向とを含む前記平面と平行な面内に形成されていて前記上下方向の上方へ向かって拡開してほぼＶ字形を画くように延びる一対の溝状の第３案内部とを有し、
前記第１、第２シャッター板のそれぞれが、前記前後方向の後方から前記第３案内部のそれぞれに進入して前記第１、第２シャッター板を前記第３案内部の動きに追随させることが可能な第１、第２突起部のそれぞれを有している請求項１記載のコネクタ。
【請求項３】
前記ハウジングには、前記挿入口から前方へ延びていて、前記プラグを摺動させながら前記挿入口へ案内すると同時に前記プラグによる前記第１部材の押圧を可能ならしめるプラグ案内溝が形成されている請求項１または２記載のコネクタ。
【請求項４】
前記第２部材は、前記幅方向の両側それぞれに翼部を有し、前記翼部それぞれが前記ハウジングの構成部材で前記前後方向から前記上下方向へ摺動可能に挟まれていることによって、前記第２部材が前記構成部材に案内されて前記上昇運動とその反対の下降運動とを行う請求項１〜３のいずれかに記載のコネクタ。
【発明の詳細な説明】
【技術分野】
【０００１】
この発明は、プラグ挿入口を有する光ケーブル用コネクタに関する。
【背景技術】
【０００２】
従来、壁面の内側に配線された光ケーブルと壁面の外側にある光ケーブルとを接続するために壁面に取り付けて使用されるコネクタは公知である。例えば、特許第２７１９３４９号公報（特許文献１）に記載された埋込型光コンセントは、取り付け枠を介して壁面に取り付けられるボディと、このボディに取り付けられて壁面の内側に配線された光ケーブルと壁面の外側にある光伝送機器の光ケーブルとを接続する光コネクタとを備えている。この光コネクタは、光ケーブルの先端部が挿入されるスリーブと、このスリーブが収納されるハウジング本体とを有する。
【特許文献１】特許第２７１９３４９号公報
【発明の開示】
【発明が解決しようとする課題】
【０００３】
特許文献１に記載されたハウジング本体は、角筒状のもので、壁面に対してその内外面間を貫通するように取り付けられて、壁面内側に配線された光ケーブルの末端部がスリーブに挿入される。かかる光コネクタでは、壁面内側の光ケーブルから壁面外側に向かって光が常時発せられている。それゆえ、この光コネクタは、壁面外側にある光ケーブルが接続されていないと、壁面内側の光ケーブルからの光が壁面の外に出て人の眼に入るということがある。しかし、そのようなことは、安全衛生上の問題として避けることが好ましい。
【０００４】
この発明が課題とするところは、壁面内側の光ケーブルからの光が壁面の外に出て人の眼に入ることを防止可能な光ケーブル用コネクタを提供することにある。
【課題を解決するための手段および発明の効果】
【０００５】
前記課題を解決するために、請求項１に係るこの発明が対象とするのは、互いに直交する上下方向と前後方向と幅方向とを有し前記上下方向を壁面の上下方向に合わせ、前記前後方向を前記壁面の内外面方向に合わせて前記壁面に取り付け可能なハウジングを含み、前記壁面の内側に配線された光ケーブルの末端部と前記壁面の外側にある光ケーブルのプラグとを離脱可能に接続する光ケーブル用コネクタである。
【０００６】
かかるコネクタにおいて、この発明が特徴とするところは、次のとおりである。前記ハウジングは、前記前後方向の前方に前記壁面の外側に向かって開口するプラグ挿入口が形成される一方、前記前後方向の後方が前記末端部を固定可能に形成されている。前記前方と前記後方との間には、前記幅方向へ延びる第１軸を中心にしていて前記挿入口へ進入する前記プラグに押圧されて前記前方から前記後方へ向かってばね付勢に抗して回転運動する第１部材と、前記第１部材の前記回転運動に追随して前記上下方向において上昇運動する第２部材と、前記前後方向へ延びている第２軸を中心にして前記上昇運動に伴って前記上下方向と前記幅方向とを含む平面内において時計方向へ旋回運動する第１シャッター板と、前記第２軸を中心にして前記平面内において反時計方向へ旋回運動する第２シャッター板とが介在している。前記第１シャッター板と前記第２シャッター板とは、協働して前記挿入口を閉じることができるように形成されており、前記第１部材と前記第２部材と前記第１シャッター板と第２シャッター板とが、前記ばね付勢下に前記ばね付勢に抗しての前記回転運動と、それに伴う前記上昇運動と前記旋回運動とは反対の方向へも運動可能に形成されており、かつ、前記第１シャッター板と前記第２シャッター板との前記ばね付勢下の旋回運動が前記挿入口を閉じる方向への運動であり、前記ばね付勢に抗する旋回運動が前記挿入口を開く方向の運動である。
【０００７】
このような発明によるコネクタでは、壁面外側にある光ケーブルのプラグがプラグ挿入口に進入していなければ、プラグ挿入口が第１、第２シャッター板によって閉じているから、壁面内側の光ケーブルからの光は、人の眼に入るということがない。プラグがプラグ挿入口に進入すると、第１、第２部材の運動を介して第１、第２シャッター板が旋回し、プラグ挿入口が自動的に開くので、壁面内側の光ケーブルと壁面外側の光ケーブルとは光が漏れることなく接続される。
【０００８】
請求項２に係る発明では、前記第１部材は、前記ばね付勢下に前記挿入口にのぞいていて前記挿入口へ進入する前記プラグによって押圧される接触部と、前記第１軸よりも後方にあって前記第１軸に平行して前記幅方向の両側それぞれへ延びる一対の棒状の第１案内部とを有する。前記第２部材は、前記幅方向の両側それぞれにおいて前記前後方向へ延び前記第１案内部が前記幅方向から進入して前記第２部材を前記第１案内部の動きに追随させることが可能な前記第１案内部に対する一対の溝状の第２案内部と、一対の前記第２案内部の間にあり、かつ、前記上下方向と前記幅方向とを含む前記平面と平行な面内に形成されていて前記上下方向の上方へ向かって拡開してほぼＶ字形を画くように延びる一対の溝状の第３案内部とを有する。前記第１、第２シャッター板のそれぞれは、前記前後方向の後方から前記第３案内部のそれぞれに進入して前記第１、第２シャッター板を前記第３案内部の動きに追随させることが可能な第１、第２突起部のそれぞれを有している。
【０００９】
この態様の発明によれば、第１部材と、第２部材と、第１，第２シャッター板とは、それぞれの部材に形成された案内部を介して連結されることで、第１部材の回転運動を第１、第２シャッター板の旋回運動に変えて、挿入口を開閉することができる。
【００１０】
請求項３に係る発明では、前記ハウジングが、前記挿入口から前方へ延びていて、前記プラグを摺動させながら前記挿入口へ案内すると同時に前記プラグによる前記第１部材の押圧を可能ならしめるプラグ案内溝を有している。
【００１１】
この態様の発明によれば、プラグの挿入口への進入が容易になる。
【００１２】
請求項４に係るこの発明によれば、前記第２部材は、前記幅方向の両側それぞれに翼部を有し、前記翼部それぞれが前記ハウジングの構成部材で前記前後方向から前記上下方向へ摺動可能に挟まれていることによって、前記第２部材が前記構成部材に案内されて前記上昇運動とその反対の下降運動とを行う。
【００１３】
この態様の発明によれば、第２部材の両側に形成された翼部のそれぞれを上下方向へ摺動可能に前後方向から挟むことによって、第１部材の回転運動を第２部材の上昇運動とそれとは反対の下降運動とに変えることができる。
【発明を実施するための最良の形態】
【００１４】
添付の図面を参照して、この発明に係る光ケーブル用コネクタの詳細を説明すると、以下のとおりである。
【００１５】
図１に斜視図で示された光ケーブル用コネクタ１は、仮想線で示される壁面２のコネクタ取り付け用開口部３に嵌められた状態にあって、上下方向と前後方向と幅方向とが双頭矢印Ａ，Ｂ，Ｃで示されている。これらの方向Ａ，Ｂ，Ｃは、互いに直交する関係にあり、上下方向Ａは壁面２の上下方向でもあり、前後方向Ｂは壁面２の内外方向でもあって、この発明で前方というときには壁面２から外側へ向かう方向を意味し、後方というときは壁面２から内側へ向かう方向を意味している。図のコネクタ１は、後方部分に壁面２の内側に配線された光ケーブル４の末端部５が固定されており、前方部分が壁面２から前方へ突出している。コネクタ１の前方である壁面２の外側には、光ケーブル６とその末端部を形成しているプラグ７とが示されている。プラグ７は、矢印Ｄ方向からコネクタ１に進入して、コネクタ１の内部で光ケーブル４の末端部５に切り離し可能に接続される。
【００１６】
図２は、コネクタ１の正面図である。コネクタ１は壁面２の外側に向かって開口可能なプラグ挿入口１０を有し、その挿入口１０の上方部分には挿入口１０に進入するプラグ７によって後方に向かって押圧される一対の接触部１３がのぞいている。その接触部１３の奥には第１シャッター板１１と第２シャッター板１２とがあって、これら両シャッター板１１，１２によって挿入口１０が閉じた状態にある。プラグ７が挿入口１０に進入して接触部１３を押圧すると、第１シャッター板１１が図において時計方向Ｗａへ旋回し、第２シャッター板１２が図において反時計方向Ｗｂへ旋回して、挿入口１０が開いた状態になる。プラグ７は、さらに奥へ進入して光ケーブル４の末端部５に接続される。
【００１７】
図３，４は、コネクタ１の分解斜視図であって、図３はコネクタ１を前方から見たときのものであり、図４はコネクタ１を後方から見たときのものである。コネクタ１は、壁面２に対して直接的に、または壁面２に固定された取り付け枠を介して壁面２に対して間接的に取り付けられる後部ハウジング２６と、後部ハウジング２６に組み付けられた前部ハウジング２７とからなるハウジング２５（図１参照）を有し、後部ハウジング２６の所定部位（図示せず）には、光ケーブル４の末端部５が後方から挿入、固定されており、図３にはその末端部５の端面５ａが現れている。前部ハウジング２７には、プラグ挿入口１０（図２参照）と、プラグ７を摺動させて挿入口１０へ導く案内溝２８とが形成されるとともに、後方に向かって延びる複数の爪部２９が形成されている。後部ハウジング２６と前部ハウジング２７とを前後方向Ｂにおいて突合せると、爪部２９が後部ハウジング２６の所定部位に離脱可能に係合してこれら両ハウジング２６，２７が一体化して、ハウジング２５となる。
【００１８】
後部ハウジング２６と前部ハウジング２７との間には、前方から後方に向かって、付勢ばね３０と、回転部材３１と、垂直運動部材３２と、押え部材３６と、第１シャッター板１１と、第２シャッター板１２とが組み込まれる。
【００１９】
これらのうちで、回転部材３１は、幅方向Ｃの両側へ延びる一対の第１支軸４１が前部ハウジング２７にその内側において回転可能に支えられている。回転部材３１の下方には進入するプラグ７によって押圧される一対の接触部１３が形成され、第１支軸４１の後方には幅方向Ｃの両側へ延びてカムとして作用する一対の棒状案内部４２が形成されている。
【００２０】
付勢ばね３０は、一対のコイル部分４０が第１支軸４１それぞれの内端部４３に嵌められ、下向きのコの字を画く上部４４が前部ハウジング２７の内面における所定部位（図示せず）に当接する一方、直状に延びる一対の下部４６のそれぞれが回転部材３１の一対の平坦部４７のそれぞれに上方から圧接して、回転部材３１の接触部１３を前方に向かって付勢している。
【００２１】
垂直運動部材３２は、幅方向Ｃへ延びる中央プレート部５１と、中央部プレート部５１の両側それぞれから前方へ互いに平行に延びる一対のサイドプレート部５２と、サイドプレート部５２のそれぞれの外面側に形成されたプレート状の翼部５３とを有する。中央プレート部５１には、上方に向かって拡開したＶ字を画き、幅方向Ｃの中心部分で交差するように傾斜した一対の第１、第２傾斜案内部５４ａ，５４ｂが形成されている。これら第１、第２傾斜案内部５４ａ，５４ｂは、中央プレート部５１を前後方向Ｂにおいて貫通している。サイドプレート部５２のそれぞれには、幅方向Ｃにおいてサイドプレート部５２を貫通しており、前後方向Ｂへ水平に延びる長円形の水平案内部５５が形成されている。
【００２２】
押え部材３６は、幅方向Ｃにおいて向かい合い、前後方向Ｂへ互いに平行して延びる一対の側壁部５６と、側壁部５６それぞれの内側に形成されていて上下方向Ａへ延びる一対の摺動部５７とを有し、幅方向Ｃにおける摺動部５７と５７との間にはプラグ７が進入、退出できる中央開口８０が形成されている。側壁部５６の前端面５８には、凹部５９が形成されている。
【００２３】
第１シャッター板１１と第２シャッター板１２とは、協働してプラグ挿入口１０を開閉するもので、図２において互いに接し合っていて上下方向Ａへ延びる第１内縁６１と第２内縁６２とを有する。第１シャッター板１１は、第１内縁６１の頂部近傍に前後方向Ｂへ延びる第１透孔６３と、第１シャッター板１１の前面から前方へ延びる円柱状の第１突起部６４とを有する。第２シャッター板１２は、第２内縁６２の頂部近傍に前後方向Ｂへ延びる第２透孔６６と、第２シャッター板１２の前面から前方へ延びる円柱状の第２突起部６７とを有する。第１シャッター板１１の第１内縁６１には凹部６８が形成される一方、第２シャッター板１２の第２内縁６２には図２において凹部６８の輪郭に整合する凸部６９が形成されている。また、第１シャッター板１１において第１透孔６３を形成している第１環状部７１と、第２シャッター板１２において第２透孔６６を形成している第２環状部７２とは、両シャッター板１１，１２の第１、第２内縁部６１，６２を図２の如く付き合わせたときに、前後方向Ｂにおいて互いに重なり合うことができるように、第２環状部７２が第１環状部７１よりもやや後方に偏倚するように形成されている。第１環状部７１と第２環状部７２とは、第１環状部７１が第２環状部７２よりも前方に位置するように、後部ハウジング２６において前方に向かって水平に延びる第２支軸７６に軸周り方向へ摺動可能に嵌められることによって、第１、第２シャッター板１１，１２が後部ハウジング２６に取り付けられる。
【００２４】
コネクタ１を構成するこれら部材は、次のように組み付けられる。回転部材３１は、第１支軸４１が前部ハウジング２７の内側に形成された軸受部７７（図４参照）に挿入され、前部ハウジング２７の所定部位の内面（図示せず）と回転部材３１の平坦部４７との間に蓄勢状態で介在する付勢ばね３０の作用によって、接触部１３がプラグ挿入口１０にのぞくように付勢される。回転部材３１における棒状案内部４２のそれぞれは、垂直運動部材３２の水平案内部５５のそれぞれに、サイドプレート部５２の内側から嵌合して、水平案内部５５の内部を前後方向Ｂへ移動可能である。垂直運動部材３２は、前部ハウジング２７に形成されている一対の後方に向いた垂直な支持面７８（図４参照）のそれぞれに翼部５３の前面５３ａが上下方向Ｃへ摺動可能に当接した状態で前部ハウジング２７に納まる。押え部材３６は、前部ハウジング２７に対して一対の垂直壁７９（図４参照）の外側に一対の側壁部５６が位置するように挿入して、側壁部５６の凹部５９を前部ハウジング２７に納まっている回転部材３１の第１支軸４１に第１支軸４１の回転を妨げることがないように後方から当接する。押え部材３６は、それと同時に、垂直に延びる摺動部５７のそれぞれが垂直運動部材２の翼部５３それぞれの後面５３ｂに翼部５３が上下方向Ｃへ摺動可能な状態で当接する。かような状態にある押え部材３６は、上部係合爪８１と下部係合爪８２とが前部ハウジング２７に形成された上部係合孔８１ａと下部係合孔８２ａとに嵌合して、前部ハウジング２７と回転部材３１と垂直運動部材３２と押え部材３６とが一体化する。後部ハウジング２６の第２支軸７６に取り付けられている第１シャッター板１１と第２シャッター板１２とのそれぞれは、第１突起６４と第２突起６７とが押え部材３６の中央開口８０を通り、垂直運動部材３２における第１傾斜案内部５４ａと第２傾斜案内部５４ｂとに後方から進入しており、図２の如く第１シャッター板１１と第２シャッター板１２とが閉じているときには、第１、第２突起部６４，６７のそれぞれが、後記図５に示されるように第１、第２傾斜案内部５４ａ，５４ｂそれぞれの頂部に位置している。第１、第２シャッター板１１，１２がかような状態にある後部ハウジング２６は、前部ハウジング２７の係合爪部２９を介して前部ハウジング２７と一体化しているから、第１、第２シャッター板１１，１２は、両ハウジング２６，２７から外れることがない。
【００２５】
図５は、第１、第２シャッター板１１，１２の開閉動作を示すコネクタ１の部分図であって、回転部材３１と垂直運動部材３２と第１、第２シャッター板１１，１２とのみが図示されていて、その他の部材の図示が省略されている。図２において第１、第２シャッター板１１，１２が閉じているコネクタ１では、プラグ７を挿入口１０へ進入させると、プラグ７が回転部材３１の接触部１３を矢印Ｄ方向、すなわち後方へ向かって押圧し、回転部材３１が第１支軸４１を中心に後方に向かって上昇するように矢印Ｑ方向へ回転する。その回転とともに、棒状案内部４２が第１支軸４１を中心に旋回して矢印Ｒ方向へ弧を画きながら上昇する。水平案内部５５の内側に棒状案内部４２が進入している垂直運動部材３２は、カムとして作用する棒状案内部４２の上昇に追随して上昇する。ただし、垂直運動部材３２の翼部５３は、前面５３ａと後面５３ｂとが前部ハウジング２７の垂直な支持面７８と押え部材３６の垂直な摺動部５７とに接触して、これら支持面７８と押え部材３６とによって挟まれているので、運動部材３２は垂直方向に上昇する。垂直運動部材３２が上昇すると、垂直運動部材３２の第１傾斜案内部５４ａと第２傾斜案内部５４ｂとに納まっている第１突起部６４と第２突起部６７とが、これら案内部５４ａ，５４ｂにおける傾斜した内面をその頂部から滑り下りるように矢印Ｔａ，Ｔｂ方向へ移動する。第１環状部７１と第２環状部７２とにおいて後部ハウジング２６の第２支軸７６に支えられている第１シャッター板１１と第２シャッター板１２とは、第２支軸７６を中心にして矢印Ｗａで示す時計方向と、矢印Ｗｂで示す反時計方向とに旋回して仮想線の状態となり、挿入口１０を開くことができる。プラグ７は、第１、第２シャッター板１１，１２の間を通って光ケーブル４の末端部５に接続される。なお、図示例において、第２シャッター板１２の凸部６９は、後部ハウジング２６における光ケーブル４の端面５ａを前方から覆う大きさに形成されており、第１、第２シャッター板１１，１２が少々開いても、光ケーブル４からの光はコネクタ１の外へ漏れることがない。
【００２６】
かように形成されているコネクタ１において、プラグ７をコネクタ１から抜き取ると、回転部材３１がばね４４の付勢方向へ回転して図３，４の状態に復帰し、その復帰に伴って垂直運動部材３２が垂直に下降し、その下降に伴って第１、第２シャッター板１１，１２の第１、第２突起６４，６７が第１、第２傾斜案内部５４ａ，５４ｂの内面に案内されて第１、第２傾斜案内部５４ａ，５４ｂの頂部へ向かって動くので、第１、第２シャッター板１１，１２は、閉じた状態になる。
【００２７】
図示例において、垂直運動部材３２の水平案内部５５と第１、第２傾斜案内部５４ａ，５４ｂとのそれぞれは、幅方向Ｃにおける貫通孔と前後方向Ｂにおける貫通孔として示されているが、水平案内部５５は棒状案内部４２を挿入可能な有底の溝に代えることが可能であり、第１、第２傾斜案内部５４ａ，５４ｂは、第１、第２突起部６４，６７を挿入可能な有底の溝に代えることが可能である。
【産業上の利用可能性】
【００２８】
この発明によれば、壁面の内側に配線された光ケーブルからの光が壁面の外へ漏れることのない光ケーブル用コネクタの製造が可能になる。
【図面の簡単な説明】
【００２９】
【図１】コネクタの斜視図。
【図２】コネクタの正面図。
【図３】前方から見たコネクタの分解斜視図。
【図４】後方から見たコネクタの分解斜視図。
【図５】コネクタの部分図。
【符号の説明】
【００３０】
１    コネクタ
４    光ケーブル
５    末端部
６    光ケーブル
７    プラグ
１０    挿入口
１１    第１シャッター板
１２    第２シャッター板
１３    接触部
２５    ハウジング
２６    ハウジング（後部ハウジング）
２７    ハウジング（前部ハウジング）
２８    プラグ案内溝
３１    第１部材（回転部材）
３２    第２部材（垂直運動部材）
４１    第１軸
４２    第１案内部
５３    翼部
５４ａ    第３案内部
５４ｂ    第３案内部
５５    第２案内部
６４    第１突起部
６７    第２突起部
７６    第２軸
Ａ    上下方向
Ｂ    前後方向
Ｃ    幅方向
【図１】
2005338373.tif 000003
【図２】
2005338373.tif 000004
【図３】
2005338373.tif 000005
【図４】
2005338373.tif 000006
【図５】
2005338373.tif 000007